(57)【要約】【課題】本発明は、ボールリテーナの位置ズレを低減させることによって引出し力の安定化を図るダブルスライドレールを提供することを課題とする。【解決手段】  第１、第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１、第２インナーメンバーを一体的に形成させた２段階に伸長させるダブルスライドレールに、第１アウターメンバーの摺動に第１ボールリテーナの摺動を追従させる第１連動装置と、第２アウターメンバーの摺動に第２ボールリテーナの摺動を追従させる第２連動装置を装備する。【選択図】    図１
2020099447.tif 000002
【特許請求の範囲】
【請求項１】
第１アウターメンバーと第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーを一体的に形成させることにより、スライドレールを２段階に伸長させるダブルスライドレールにおいて、第１アウターメンバーに対する第１インナーメンバーの摺動に第１ボールリテーナの摺動を追従させる第１連動装置と、第２アウターメンバーに対する第２インナーメンバーの摺動に第２ボールリテーナの摺動を追従させる第２連動装置を備えたことを特徴とするダブルスライドレール。
【請求項２】
第１アウターメンバーと、第１インナーメンバーと第２インナーメンバーが一体的に摺動可能に形成されたインナーメンバー体と、第２アウターメンバーの摺動を連動させる第３連動装置を備える請求項１に記載のダブルスライドレール。
【請求項３】
第３連動装置は、一端が第１アウターレールの収縮側に連結され、他方端が第２アウターレールの収縮側に連結され、中間部で、インナーメンバー体の伸長側に設けられる第１ガイド部に掛けられる第１連動紐と、一端が第１アウターレールの伸長側に連結され、他方端が第２アウターレールの伸長側に連結され、中間部で、前記インナーメンバー体の収縮側に設けられる第２ガイド部に掛けられる第２連動紐で構成される請求項２に記載のダブルスライドレール。
【請求項４】
第１連動装置は、第１ボールリテーナの摺動方向の両端部に設けられた左右のベルトガイド部材を介して摺動方向に渡って第１エンドレスベルトが取り付けられ、第１エンドレスベルトの第１インナーメンバー側の一部と第１インナーメンバーの所定箇所が連結され、第１エンドレスベルトの第１アウターメンバー側の一部と第１アウターメンバーの所定箇所が連結され構成されるもので、第２連動装置は、第２ボールリテーナの摺動方向の両端部に設けられた左右のベルトガイド部材を介して摺動方向に渡って第２エンドレスベルトが取り付けられ、第２エンドレスベルトの第２インナーメンバー側の一部と第２インナーメンバーの所定箇所が連結され、エンドレスベルトの第２アウターメンバー側の一部と第２アウターメンバーの所定箇所が連結され構成される請求項１あるいは請求項２あるいは請求項３に記載されるダブルスライドレール。
【発明の詳細な説明】
【技術分野】
【０００１】
本発明は、第１アウターメンバーと第２アウターメンバーと、第１アウターメンバーにボールにて摺動自在に保持される第１インナーメンバーと、同様に第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーを連結することにより、スライドレールを２段階に伸長させ、スライド量を大きくしたダブルスライドレールにおいて、安定した摺動力を実現させるダブルスライドレールに関するものである。
【背景技術】
【０００２】
従来、上記のスライド量を大きくしたダブルスライドレールにおいて、インナーメンバーよりローラー取付部材を外方に突出させ、該ローラー取付部材にゴムローラーを回転自在に保持し、いずれか一方のアウターメンバーより、連結部材を、ローラー取付部材の外方に突出させ、ゴムローラーの端面を、他方のアウターメンバーの折曲縁と連結部材に接触させたものが本願の出願人によって実施されている（特許文献１参照）。
このダブルスライドレールは、アウターメンバーの動きを、ローラーを介してインナーレールに伝え、アウターメンバーとインナーメンバーの動きを同調させ、ダブルスライドレールの引出し力の一定化を図るものである。
【０００３】
しかしながら、アウターメンバーとインナーメンバーの動きを同調させたとしても、スライドレールのボールリテーナは、スライドレールの摺動速度やスライドレールへの荷重などの影響により、スライドレールの摺動毎に同じ移動量にはならない。そしてスライドレールの摺動を繰り返した結果、ボールリテーナは、初期設定位置に対してスライドレールの伸長側や収縮側への位置ズレが生じることは特許文献２や特許文献３に記載されているように周知である。
このように、ボールリテーナに位置ズレが大きく生じた場合には、スライドレールの伸長もしくは収縮時に強制的にボールリテーナの位置を初期設定位置に矯正する必要があるため、インナーレールとボールリテーナに互いに当たる当り片を設け、インナーレールによってボールリテーナの位置を矯正する方法が取られている。
【０００４】
そして、このボールリテーナの位置の矯正時には、アウターレールとインナーレール間で、ボールリテーナを引きずるように矯正することになり、アウターレールとインナーレールに接触しているボールリテーナのボールが転動出来ない状態となる。
そのため、該矯正時には、ボールを転動させずに引きずるようにボールリテーナを滑らせるため、スライドレールの通常の引出し力や押込み力より大きい力が必要となり、スライドレールの引出し力や押込み力の摺動力の一定化ができなかった。
【０００５】
特に、スライドレールを垂直方向に伸縮させる縦方向で使用する場合、ボールリテーナの自重が加わり、ボールリテーナは下がる方向にズレが生じる。そのため、収縮状態のスライドレールを伸長させる（引き上げる）ときに、下がったボールリテーナを持ち上げることになり、スライドレールの通常の引出し力より大きい力の引出し力が必要となることが顕著であった。
詳述すると、引き上げられるアウターメンバーは、理論上、ボールに回転によってボールリテーナの移動距離の２倍移動することとなる。
しかしながら、引き上げられるアウターメンバーは、人力等の外力によって昇降するので、重力に影響されることはないが、ボールリテーナは、常に下方向きに重力が負荷されているので、アウターメンバーの上昇時は、アウターメンバーの移動距離の２分の１も移動せず、移動側メンバーの下降時は、移動側メンバーの移動距離の２分の１より多く移動することがある。
すなわち、ボールクリープ現象（ボールと引き上げられるアウターメンバーの動きのズレ）が起こりやすく、ボールリテーナが引き上げられるアウターメンバーから下方にズレやすく、特に上下方向スライド案内装置では引出し力の一定化ができなかった。
このように、スライドレールを２段階に伸長させ、スライド量を大きくしたダブルスライドレールには、ボールリテーナの動きを制御して安定した摺動力を実現させるものがなかった。
【先行技術文献】
【特許文献】
【０００６】
【特許文献１】実公昭６２−００８７６２号公報
【特許文献２】特許４６９５８８５号公報
【特許文献３】特開２００４−１３１９９３公報
【発明の概要】
【発明が解決しようとする課題】
【０００７】
本発明は、上記問題に鑑み、ボールリテーナの位置ズレを抑制することによって引出し力の安定化を図るダブルスライドレールを提供することを課題とする。
【課題を解決するための手段】
【０００８】
上記課題を解決する為、本発明が第１の手段として構成したところは、第１アウターメンバーと第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーを一体的に形成させることにより、スライドレールを２段階に伸長させるダブルスライドレールにおいて、第１アウターメンバーに対する第１インナーメンバーの摺動に第１ボールリテーナの摺動を追従させる第１連動装置と、第２アウターメンバーに対する第２インナーメンバーの摺動に第２ボールリテーナの摺動を追従させる第２連動装置を備えたものである。
【０００９】
上記課題を解決する為、本発明が第２の手段として構成したところは、第１の手段に加え、第１アウターメンバーと、第１インナーメンバーと第２インナーメンバーが一体的に摺動可能に形成されたインナーメンバー体と、第２アウターメンバーの摺動を連動させる第３連動装置を備えるものである。
【００１０】
上記課題を解決する為、本発明が第３の手段として構成したところは、第２の手段に加え、第３連動装置は、一端が第１アウターレールの収縮側に連結され、他方端が第２アウターレールの収縮側に連結され、中間部で、インナーメンバー体の伸長側に設けられる第１ガイド部に掛けられる第１連動紐と、一端が第１アウターレールの伸長側に連結され、他方端が第２アウターレールの伸長側に連結され、中間部で、前記インナーメンバー体の収縮側に設けられる第２ガイド部に掛けられる第２連動紐で構成されるものである。
【００１１】
上記課題を解決する為、本発明が第４の手段として構成したところは、第１の手段、あるいは、第２の手段、あるいは、第３の手段に加え、第１連動装置は、第１ボールリテーナの摺動方向の両端部に設けられた左右のベルトガイド部材を介して摺動方向に渡って第１エンドレスベルトが取り付けられ、第１エンドレスベルトの第１インナーメンバー側の一部と第１インナーメンバーの所定箇所が連結され、第１エンドレスベルトの第１アウターメンバー側の一部と第１アウターメンバーの所定箇所が連結され構成されるもので、第２連動装置は、第２ボールリテーナの摺動方向の両端部に設けられた左右のベルトガイド部材を介して摺動方向に渡って第２エンドレスベルトが取り付けられ、第２エンドレスベルトの第２インナーメンバー側の一部と第２インナーメンバーの所定箇所が連結され、エンドレスベルトの第２アウターメンバー側の一部と第２アウターメンバーの所定箇所が連結され構成されるものである。
【発明の効果】
【００１２】
本発明の第１の手段として構成したところによると、第１連動装置によって、第１ボールリテーナは、第１アウターメンバーに対する第１インナーメンバーの摺動に追従させることによって、第１アウターレールに対して、スライドレールの引出し、押込み力に大きな影響を及ぼす位置ズレが起こらないばかりか、第２連動装置によって、第２ボールリテーナは、第２アウターメンバーに対する第２インナーメンバーの摺動に追従させることによって、第２アウターレールに対して、スライドレールの引出し、押込み力に大きな影響を及ぼす位置ズレが起こらないから、ダブルスライドレールの最小収縮時と最大伸長時までの過程においてボールリテーナの位置ズレを矯正させる必要がなく、アウターレールに対するインナーレールの摺動時、あるいは、インナーレールに対するアウターレールの摺動時の摺動力が安定し、２段階に伸長、収縮を行うダブルスライドレールであっても安定した摺動力を実現することができる。
【００１３】
本発明の第２の手段として構成したところによると、第１の手段として構成したところの効果に加え、第１アウターメンバーとインナーメンバー体と第２アウターメンバーの摺動も連動するから、ダブルスライドレールの最小収縮時と最大伸長時までの過程において、第１アウターメンバーと第１ボールリテーナとインナーメンバー体と、同じくインナーメンバー体と第２インナーメンバーと第２アウターメンバーが全て追従して摺動するため、２段階に伸長、収縮を行うダブルスライドレールであってもより安定した摺動力を実現することができる。
【００１４】
本発明の第３の手段として構成したところによると、第２の手段として構成したところ、に加え、簡単な構成で、第１アウターメンバーとインナーメンバー体と第２アウターメンバーの摺動を連動させることができる。
【００１５】
本発明の第４の手段として構成したところによると、第１連動装置は、第１アウターメンバーと第１インナーメンバー間に収まり、第２連動装置は、第２アウターメンバーと第２インナーメンバー間に収まるので、連動装置を備えたダブルスライドレール全体が大きくならない。
【図面の簡単な説明】
【００１６】
【図１】本発明の最伸長状態の斜視図。
【図２】本発明の最収縮状態の斜視図。
【図３】本発明の伸長状態の分解斜視図。
【図４】第２嵌合部材の表面側斜視図。
【図５】第２嵌合部材の裏面側斜視図。
【図６】ベルトガイド部材の斜視図。
【図７】第２位置決め部材を第２嵌合部材に保持する作業を示す説明図。
【図８】第１位置決め部材を第１嵌合部材に保持する作業を示す説明図。
【図９】固定部材の斜視図。
【図１０】ガイド部材の斜視図。
【図１１】本発明の伸長側側面図。
【図１２】本発明のダブルスライドレールの収縮状態の六面図。
【図１３】本発明の固定部材の六面図。
【図１４】本発明のガイド部材の六面図。
【図１５】図１２のＡ−Ａ線断面拡大図。
【図１６】図３の要部拡大図。
【発明を実施するための最良の形態】
【００１７】
第１アウターメンバーと第２アウターメンバーと、第１アウターメンバーにボールにて摺動自在に保持される第１インナーメンバーと、第２アウターメンバーにボールにて摺動自在に保持される第２インナーメンバーと、第１アウターメンバー側のボールを回転自在に保持する第１ボールリテーナと、第２アウターメンバー側のボールを回転自在に保持する第２ボールリテーナとを有し、第１インナーメンバーと第２インナーメンバーを一体的に形成させることにより、スライドレールを２段階に伸長させるダブルスライドレールに、第１ボールリテーナの摺動方向の両端部に設けられた左右のベルトガイド部材を介して摺動方向に渡って第１エンドレスベルトが取り付けられ、第１エンドレスベルトの第１インナーメンバー側の一部と第１インナーメンバーの所定箇所が連結され、第１エンドレスベルトの第１アウターメンバー側の一部と第１アウターメンバーの所定箇所が連結され構成される第１アウターメンバーに対する第１インナーメンバーの摺動に第１ボールリテーナの摺動を追従させる第１連動装置と、第２ボールリテーナの摺動方向の両端部に設けられた左右のベルトガイド部材を介して摺動方向に渡って第２エンドレスベルトが取り付けられ、第２エンドレスベルトの第２インナーメンバー側の一部と第２インナーメンバーの所定箇所が連結され、エンドレスベルトの第２アウターメンバー側の一部と第２アウターメンバーの所定箇所が連結され構成される第２アウターメンバーに対する第２インナーメンバーの摺動に第２ボールリテーナの摺動を追従させる第２連動装置と、一端が第１アウターレールの収縮側に連結され、他方端が第２アウターレールの収縮側に連結され、中間部で、インナーメンバー体の伸長側に設けられる第１ガイド部に掛けられる第１連動紐と、一端が第１アウターレールの伸長側に連結され、他方端が第２アウターレールの伸長側に連結され、中間部で、前記インナーメンバー体の収縮側に設けられる第２ガイド部に掛けられる第２連動紐で構成され、第１アウターメンバーと、第１インナーメンバーと第２インナーメンバーが一体的に摺動可能に形成されたインナーメンバー体と、第２アウターメンバーの摺動を連動させる第３連動装置を備える。
【実施例】
【００１８】
以下、本発明の実施例を添付図面に基づいて説明する。
図１、図２、図３において、符号１は第１アウターメンバーを示し、符号２は第１インナーメンバーを示し、符号３は第１ボールリテーナを示し、符号５は第１連動装置を示し、符号１０は第２アウターメンバーを示し、符号２０は第２インナーメンバーを示し、符号３０は第２ボールリテーナを示し、符号５０は第２連動装置を示し、符号６はインナーメンバー体を示し、符号７は第３連動装置を示している。
尚、便宜的にダブルスライドレールの摺動方向を前後方向、伸長側方向を前、収縮側方向を後とし、後述する第１アウターメンバー１の屈折縁１３、１３方向側を上下方向として説明する。
【００１９】
第１アウターメンバー１と第２アウターメンバー１０は同形体なので、第１アウターメンバー１についてのみ説明する。
第１アウターメンバー１は、帯状金属板からなる基板１１と、該基板１１の短手側両端部を内向き円弧状に湾曲して形成された内面長手方向にボール摺動溝１２、１２を有する屈折縁１３、１３より断面略Ｃ字形に形成されている。そして、基板１１の前後端部に、基板１１の一部を内方に折り曲げた、第１インナーメンバー２のストッパー１４、１４が設けられている。又、基板１１の摺動方向中央部には、第２嵌合部材５１１を介して第１連動装置５のエンドレスベルト５１の一部が連結される第２嵌合係止孔１１Ａが形成され、ダブルスライドレール１００物品に取り付けるための取付け孔１１ｆが設けられている。
尚、ダブルスライドレール１００の最収縮状態の図２に示されるように、該状態で、第２アウターレール１０の伸長端の取付け孔１０１ｆ、第１アウターレール１の伸長端の取付け孔１１ｆは視認できる状態とされ、ダブルスライドレール１００物品に取り付け易く施されている。
【００２０】
第２嵌合係止孔１１Ａ（図７参照）は、摺動方向に横長な長方形の貫通孔１１ｂと、貫通孔１１ｂの内側で、摺動方向で対向し、短手方向中央部に第２バンド突出孔１１ｃを有し互いに対抗して内側方向で第１インナーメンバー２側に突出する第２載置部１１ｄ・・・を有し、摺動方向に対向する第２載置部１１ｄ・・・間に位置し、基板１１の貫通孔１１ｂを形成する四辺の内の長辺側の端部が第２前後係止部１１ｅ、１１ｅとされる。
【００２１】
そして、第１アウターメンバー１の基板１１の屈折縁１３、１３の対向側面に、後述する第３連動装置７の構成部材である連動基材７１が固定されている。同様に第２アウターメンバー１０の基板１０１にも連動基材７１が固定されている。
【００２２】
連動基材７１は、第１アウターメンバー１あるいは第２アウターメンバー２の摺動方向長さと略同じ長さに形成される板状長方形であって、第１アウターメンバー１、第２アウターメンバー２の一方側の屈折縁１３、１０３側から突出する（図１５における上方側）大きさに形成され、第１アウターメンバー１の基板１１、第２アウターメンバー１０の基材１０１に平面部で貼り合わされるように固定される。また、連動基材７１の該突出部の前後の摺動端側それぞれに、取付け部７１１、７１１が形成されている。
【００２３】
取付け部７１１は、前端部と後端部で対称型に形成されているので、前端部側のみ説明する。
前端部側の取付け部７１１は、前記第１アウターメンバー１あるいは第２アウターメンバー２から突出する部分の前端部に設けられており、前端から後方に向かって形成される上下方向に長尺な長方形の切り欠き７１１ａと、切り欠き７１１ａの上下端部からインナーメンバー体６側に膨出し、膨出端からそれぞれが向き合うように上下方向に延出形成される切り起し片７１１ｂ、７１１ｂと、切り起し片７１１ｂ、７１１ｂの先端で形成される隙間の固定溝７１１ｃからなる。
そして、該取付け部７１１、７１１には、後述する固定部材７２、７２が取り付けられる。
【００２４】
第１インナーメンバー２と第２インナーメンバー２０は同形体なので、第１インナーメンバー２についてのみ説明する。
第１インナーメンバー２は、第１アウターメンバー１の５分の２程度の長さで、第１アウターメンバー１に挿入可能な大きさの帯状金属板よりなる基板２１と、基板２１の短手側の両端部を外向き円弧状に湾曲して形成された、外面長手方向にボール摺動溝２２、２２を有する屈折縁２３、２３より、断面Ｃ字形に形成されている。
そして、基板２１の摺動方向中央部には、後述する第１嵌合部材５１２を介してエンドレスベルト５１の一部が保持される第１嵌合係止孔２１Ａが形成されている。
【００２５】
第１嵌合係止孔２１Ａ（図８参照）は、前記第２嵌合係止孔１１Ａに対向した同形に形成されている。すなわち、摺動方向に横長な長方形の貫通孔２１ｂと、摺動方向で対向し、短手方向中央部に第１バンド突出孔２１ｃを有し、互いに対抗して内側方向で第１アウターメンバー１側に突出する第１載置部２１ｄ・・・を有し、摺動方向に対向する第１載置部２１ｄ・・・間に位置し、基板２１の貫通孔２１ｂを形成する四辺の内の長辺側の端部が第１前後係止部２１ｅ、２１ｅとされる。
【００２６】
第１嵌合係止孔２１Ａ、第２嵌合係止孔１１Ａに嵌合する第１嵌合部材５１２、第２嵌合部材５１１は、第１嵌合係止孔２１Ａ、第２嵌合係止孔１１Ａに対応して嵌合方向が対向しているが、同形に形成されているので、第２嵌合係止孔１１Ａに嵌合する第２嵌合部材５１１についてのみ説明する。
第２嵌合部材５１１（図４、図５、図７参照）は、前記第２嵌合係止孔１１Ａの第２載置部１１ｄ・・・に載置される左右前後載置用突部５１１ａ・・・が、上端の摺動方向両端部に外方に突出して形成された前後壁５１１ｂ、５１１ｂと、前後壁５１１ｂ、５１１ｂの下端部で、摺動方向の端部間を連結し、エンドレスベルト５１が上面に接触するバンド下面左右支持部５１１ｃ、５１１ｃと、エンドレスベルト５１の所定位置に取り付けられた第２位置決め部材５１ｂを保持する保持孔５１１ｄと、前後壁５１１ｂ、５１１ｂの外面所定位置で前後方向に突出し摺動方向に渡って形成された、前記第１前後係止部２１ｅ、２１ｅの下面に係止する係止突条５１１ｅ、５１１ｅより、合成樹脂材にて一体に成形されて構成されている。
【００２７】
そして、第１インナーメンバー２と第２インナーメンバー２０は、インナーメンバー連結部材６０に固定されて、インナーメンバー体６が構成される。
インナーメンバー連結部材６０は、第１アウターメンバー１あるいは第２アウターメンバー２の摺動方向長さと略同じ長さに形成される板状長方形の連結体６０１と、連結体６０１の上下方向の一端部が、第１インナーメンバー２側に折り曲げられて補強片６０２が形成され、インナーメンバー連結部材６０の剛性が確保される。そして、連結体６０１の補強片６０２と対向する他方端側は、第１アウターメンバー１、第２アウターメンバー２から突出する（図１１における上方側）大きさに形成されている。尚、該突出は、前述の連動基材７１の突出側と同じ方向に突出される。
該突出部の前後の前後端側それぞれに、前後方向に長尺な長方形の固定切り欠き６０ａ、６０ａが形成されている。
そして、該固定切り欠き６０ａ、６０ａには、後述するガイド部材７３、７３が取り付けられる。
【００２８】
インナーメンバー体６は図３、図１５に示されるように、連結体６０１の補強片６０２が折り曲げられた側の平面の下方の補強片６０２寄りで、かつダブルスライドレールの摺動方向の後端側に第１インナーメンバー２が固定され、該連結体６０１の第１インナーメンバー２が固定される平面の対向面であって、第１インナーメンバー２と反対方向の前端側に第２インナーメンバー２０が固定される。
このように、第１インナーメンバー２と第２インナーメンバー２０は摺動方向の一方側と他方側に離れて連結体６０１に固定され、図１１、１５に示すように、摺動（伸長）側端面視で対称に配置されている。
【００２９】
第１ボールリテーナ３は、帯状金属板にて、上記第１アウターメンバー１、第１インナーメンバー２間に挿入可能な大きさで、かつ、第１アウターメンバー１の３分２程度の長さとされ、基板３１と、屈折縁３２、３２よりなり、屈折縁３２、３２の長手方向数箇所にそれぞれ複数個のボール３Ａ・・・が回転自在に保持され、基板３１の摺動方向の両端部には、摺動方向に対向する左右のベルトガイド部材５１３、５１３が着脱自在に取り付けられている。
【００３０】
左右のベルトガイド部材５１３、５１３は同形部材を摺動方向で対向させて配置されているだけであるから前方側のベルトガイド部材５１３についてのみ説明する。
ベルトガイド部材５１３（図６参照）は、第１ボールリテーナ３の基板３１の前端部に形成されたガイド部材取付用切り欠き部３４に嵌入する前後嵌入溝５１３ｂ、５１３ｂが前後端面の摺動方向に形成された連結部５１３ａと、連結部５１３ａの所定寸法前方に位置し、ガイド部材取付用切り欠き部３４に嵌入する前側前後嵌入溝５１３ｄ、５１３ｄが前後端面の摺動方向に形成された前後ガイド壁５１３ｃ、５１３ｃと、前後ガイド壁５１３ｃ、５１３ｃの後側端部に連設され、エンドレスベルト５１が折り返される折り返し支持壁５１３ｅより略コ字形に形成された案内部５１３ｇと、連結部５１３ａと案内部５１３ｇ間に連設され、略Ｕ字形をなし、摺動方向で拡縮する弾性変形可能な弾性付与部５１３ｆが合成樹脂材より一体に成形され構成されている。
【００３１】
エンドレスベルト５１は、幅広の紐状体でリング状に形成され、第１ボールリテーナ３の摺動側端部に設けられた左右のベルトガイド部材５１３、５１３の折り返し支持壁５１３ｅ、５１３ｅの外面に密着し、前後幅が前後ガイド壁５１３ｃ、５１３ｃ間の寸法にほぼ一致し、第１ボールリテーナ３の摺動方向に架け渡される。
この状態で、第１ボールリテーナ３に対してエンドレスベルト５１は前後ガイド壁５１３ｃ、５１３ｃ間で前後ガイド壁５１３ｃ、５１３ｃを回転軸としてベルトコンベアーのように搬送回転移動が可能である。
そして、第１インナーメンバー２側と第１アウターメンバー１側の所定位置に第１位置決め部材５１ａ、第２位置決め部材５１ｂが設けられている。
尚、本件実施例においては、エンドレスベルト５１は、幅広の紐状のものを使用しているが、細紐やワイヤーロープを使用してもよい。
【００３２】
第１位置決め部材５１ａと、第２位置決め部材５１ｂは同形に形成されているので、第２位置決め部材５１ｂについてのみ説明する。
第２位置決め部材５１ｂは、金属製板材を、エンドレスベルト５１を挟んで偏平Ｕ字形に折りつぶして圧着され、第２嵌合部材５１１の保持孔５１１ｄの前後上下寸法にほぼ一致する大きさとされる。すなわち、第２位置決め部材５１ｂは、第２嵌合部材５１１の保持孔５１１ｄに第１インナーメンバー２と対向する側から嵌合し保持される。
そのため、連結基材７１には、第１アウターメンバー１側の第２嵌合部材５１１、第２位置決め部材５１ｂ、そして、第２アウターメンバー１０側の第２嵌合部材５１１、第２位置決め部材５１ｂの取付け時の通り道である貫通孔７１ｂ、７１ｂが、第１アウターメンバー１の第２嵌合係止孔１１Ａ、第２アウターメンバー１０の第２嵌合係止孔１０１Ａがそれぞれ貫通孔７１ｂ、７１ｂから臨むように設けられている。
【００３３】
第１インナーメンバー２、第２インナーメンバー２０の第２嵌合部材５１２、５１２にも同様に、第１位置決め部材５１ａ、５１ａを嵌合させるから、インナーメンバー体６には、第１インナーメンバー２側の第１嵌合部材５１２、第１位置決め部材５１ａ、そして、第２インナーメンバー２０側の第１嵌合部材５１２、第１位置決め部材５１ａの取付け時の通り道である貫通孔６０ｂ、６０ｂが、第１インナーメンバー２の第１嵌合係止孔２１Ａ、第２インナーメンバー２０の第１嵌合係止孔２０１Ａがそれぞれ貫通孔６０ｂ、６０ｂから臨むように設けられている。
【００３４】
尚、第１位置決め部材５１ａ、あるいは、第２位置決め部材５１ｂは、バンドの両端部を連結してエンドレスベルト５１とするための連結部材として使用されることもある。
又、第１嵌合部材５１２、第２嵌合部材５１１は同形に形成され、第１決め部材５１ａ、第２決め部材５１ｂも同形に形成されているので、兼用して使用することができ、さらに部品点数が削減され、安価に製作することが出来る。
更に、左右のベルトガイド部材５１３、５１３は、対向して同形に形成されているので、兼用して使用することができ、さらに部品点数が削減され、安価に製作することが出来る。
【００３５】
第１アウターメンバー１の長さ、第１インナーメンバー２の長さと摺動範囲、それに対応する第１ボールリテーナ３の長さ(エンドレスベルト５１の長さ)に応じて、第２嵌合係止孔１１Ａ、第１嵌合係止孔２１Ａ、第２位置決め部材５１ｂ、第１位置決め部材５１ａが所定位置に形成された第１アウターメンバー１、エンドレスベルト５１がかけ渡された第１ボールリテーナ３、第１インナーメンバー２は次のようにして組み立てられる。
尚、実施例ではエンドレスベルト５１に設けられる第１位置決め部材５１ａと第２位置決め部材５１ｂは、エンドレスベルト５１が第１ボールリテーナ３に架け渡たされたとき、第１ボールリテーナ３の摺動方向の中央部で、基板３１の上下面側に対向して位置する箇所に設けられ、第２嵌合係止孔１１Ａと第１嵌合係止孔２１Ａは、第１アウターメンバー１と第１インナーメンバー２の摺動方向の中央部に設けられている。
【００３６】
第１アウターメンバー１の一方のストッパー１４が形成されていない側から、第１位置決め部材５１ａと第２位置決め部材５１ｂが摺動方向の中央部位置した状態にエンドレスベルト５１が架け渡された第１ボールリテーナ３を挿入して、ストッパー１４が形成されていない側の端部に位置させる。
そして、インナーメンバー体６の第１インナーメンバー２を、同じくストッパー１４が形成されていない側から、第１アウターメンバー１に挿入し、（インナーメンバー体６の貫通孔６０ｂから臨む）第１嵌合係止孔２１Ａに第１位置決め部材５１ａが臨む位置まで、第１インナーメンバー２を摺動する。実施例では、第１インナーメンバー２は、ボール３Ａ・・・によって保持され、第１ボールリテーナ３と共に摺動し、第１アウターメンバー１、第１ボールリテーナ３の摺動方向のそれぞれの中央部に位置することとなる。
【００３７】
次に、第１位置決め部材５１ａを第１嵌合係止孔２１Ａからエンドレスベルト５１とともに引き出し（図８に示す状態）、第１嵌合部材５１２を、第１位置決め部材５１ａと第１インナーメンバー２の間に潜らせ、第１位置決め部材５１ａを保持孔５１２ｄ（５１１ｄ）に嵌合保持した状態とし、第１嵌合部材５１２を第１嵌合係止孔２１Ａに、前後左右載置用突部５１２ａ（５１１ａ）・・・が前記第１嵌合係止孔２１Ａの第１載置部２１ｄ・・・に当接するまで押し下げると、係止突条５１２ｅ（５１１ｅ）、５１２ｅ（５１１ｅ）が、第１前後係止部２１ｅ、２１ｅの下面に係合し、第１嵌合部材５１２は、第１位置決め部材５１ａを保持孔５１１ｄに保持した状態で第１嵌合係止孔２１Ａに嵌合係止され、エンドレスベルト５１と第１インナーメンバー２は連結される。
【００３８】
次にエンドレスベルト５１と第１アウターメンバー１を連結するが、この状態で、実施例の場合では、第１アウターメンバー１の第２嵌合係止孔１１Ａに第２位置決め部材５１ｂが臨む状態に自動的に位置する寸法関係に設定されているので、図７に示すように前記の第１嵌合部材５１２と同様にして、第２嵌合部材５１１を第２位置決め部材５１ｂに保持した状態で、第２嵌合係止孔１１Ａに嵌合係止し、最後にストッパー１４を立ち上げ、第１インナーメンバー２、第１ボールリテーナ３が第１アウターレール１から抜けることが防止される。
【００３９】
このように、第１ボールリテーナ３にかけ渡されたエンドレスベルト５１に回転軸を挟み対向して第１アウターメンバー１と第１インナーメンバー２を連結することにより、第１アウターメンバー１が第１インナーメンバー２に対して摺動すると、第１アウターメンバー１によってエンドレスベルト５１が第２位置決め部材５１ｂ部で該摺動方向に引っ張られる。
そして、エンドレスベルト５１が該摺動方向に引っ張られると、エンドレスベルト５１は、第１ボールリテーナ３の前後ガイド壁５１３ｃ、５１３ｃ間でベルトコンベアーのように搬送回転移動する。エンドレスベルト５１が搬送回転移動すると、エンドレスベルト５１が第１インナーメンバー２に連結されているから、エンドレスベルト５１によって第１ボールリテーナ３も合わせて第１アウターメンバー１と同じ方向に摺動する。
この時、エンドレスベルト５１は、第１ボールリテーナ３の前後ガイド壁５１３ｃ、５１３ｃ間でベルトコンベアーのように搬送回転移動するとともに、エンドレスベルト５１が回転軸を挟み第１アウターメンバー１対向した位置で第１インナーメンバー２に連結されていることから、第１ボールリテーナ３の摺動量は、第１アウターメンバー１の摺動量の２分の１の摺動量となる。
同様に、第１インナーメンバー２を摺動させると、同様に第１ボールリテーナ３が第１インナーメンバー２を摺動量の２分の１の摺動量となる。
【００４０】
このように、第１ボールリテーナ３に搬送回転移動可能にかけ渡されたエンドレスベルト５１に回転軸を挟み対向して第１アウターメンバー１と第１インナーメンバー２を連結し、第１アウターメンバー１あるいは第１インナーメンバー２の摺動に合わせて第１ボールリテーナ３を摺動させる構成が第１連動装置５である。
第１連動装置５によって、第１アウターメンバー１あるいは第１インナーメンバー２の摺動に合わせて第１ボールリテーナ３は追従して摺動するため、第１ボールリテーナ３の初期設定位置に対してスライドレールの伸長側や収縮側への摺動力の変化を伴う位置ズレが生じることがない。
【００４１】
そして、第２アウターメンバー１０、第２インナーメンバー２０、第２ボールリテーナ３０についても同様に組み付けられ、第２ボールリテーナ３０に前後ガイド壁５１３ｃ、５１３ｃ間でエンドレスベルト５１が搬送回転移動可能に掛け渡され、エンドレスベルト５１に回転軸を挟み対向して第２アウターメンバー１０と第２インナーメンバー２０を連結し、第２アウターメンバー１０あるいは第２インナーメンバー２０の摺動に合わせて第２ボールリテーナ３０を摺動させる構成が第２連動装置５０となる。
第２連動装置５０によって、第２アウターメンバー１０あるいは第２インナーメンバー２０の摺動に合わせて第２ボールリテーナ３０は追従して摺動するため、第２ボールリテーナ３０の初期設定位置に対してスライドレールの伸長側や収縮側への摺動力の変化を伴う位置ズレが生じることがないことも第１連動装置５と同様である。
【００４２】
この状態で、ダブルスライドレール１００の第１アウターメンバー１と第２アウターメンバー１０は、図２のダブルスライドレール１００の最収縮状態から、それぞれ反対方向に向かって摺動可能となる。
【００４３】
例えば、第１アウターメンバー１を固定し、第２アウターメンバー１０を引き出す（摺動させる）と、インナーメンバー体６（第２インナーメンバー２０）から第２アウターメンバー１０が、第２連動装置５０によって第２ボールリテーナ３０を摺動させながら引き出される。
そして、そのまま摺動を続けると第２アウターメンバー１０の摺動側の反対側（収縮側）端のストッパー１０４が、第２インナーメンバー２０の摺動側の反対側（収縮側）端に接触し、インナーメンバー体６に対する第２アウターメンバー１０の移動は停止する。
さらにそのまま摺動を続けると、第２アウターメンバー１０によって第２インナーメンバー２０は引出し側に押されるので、インナーメンバー体６（第１インナーメンバー２）は、第１アウターメンバー１から、第１連動装置５によって第１ボールリテーナ３を摺動させながら引き出されていく。
次に、第１インナーメンバー２の摺動側端が第１アウターメンバー１の摺動側（引出し側）のストッパー１４に接触し、ダブルスライドレール１００は最大伸長状態となる。
【００４４】
ダブルスライドレール１００は最大伸長状態から最収縮状態の過程においても、第２アウターメンバー１０の摺動に第２ボールリテーナ３０は第２連動装置５０によって追従して摺動し、第１インナーメンバー２の摺動に第１ボールリテーナ３は第１連動装置５によって追従して摺動する。
そのため、ダブルスライドレール１００を縦方向に伸縮するように使用したとしても、第１ボールリテーナ３は、エンドレスベルト５１を介して、第２アウターメンバー１０に吊り下げられたようになり、第２ボールリテーナ３０は、エンドレスベルト５１を介して、第１インナーメンバー２に吊り下げられたようになり自重によって下がることがない。
このように、第１連動装置５、第２連動装置５０によってダブルスライドレール１００は、ボールリテーナの動きを追従させることにより、ボールリテーナの位置の矯正が必要ないことから、安定した摺動が可能となる。
【００４５】
前記実施例では、ボールリテーナとアウターメンバーに連動性を持たせ、ボールリテーナの安定摺動を実現しているが、第２アウターメンバー１０と第１インナーメンバー２間には連動性はないから、第２アウターメンバー１０と第１インナーメンバー２は荷重や摺動速度の条件によって摺動タイミングが都度異なることがある。
そこで、第３連動装置７を設けることによって、第２アウターメンバー１０と第１インナーメンバー２間の摺動の連動性を持たせて、最大伸長状態から最収縮状態の過程においてダブルスライドレール１００の各部材の摺動タイミングが都度同じようにすること可能となる。
【００４６】
そこで、該第３連動装置７について説明する。
第３連動装置７は、第１アウターメンバー１、第２アウターメンバー１０の基板１１、１０１のインナーメンバー側と反対面側に固定される連動基材７１、７１と、インナーメンバー体６に設けられるガイド部材７３と、第１アウターメンバー１、第２アウターメンバー１０を繋ぐ第１連動紐７４、第２連動紐７５と、該それぞれの連動紐を連動基材７１、７１に連結させる固定部材７２・・・で構成される。
【００４７】
ガイド部材７３、７３は、同形部材を摺動方向で対向させて配置されているだけであるから伸長側のガイド部材７３についてのみ説明する。
ガイド部材７３（図１０参照）は、インナーメンバー体６のインナーメンバー連結部材６０の固定切り欠き６０ａに嵌入する嵌入溝７３ｂ、７３ｂが前後端面の摺動方向に形成された連結固定部７３ａと、連結固定部７３ａの所定寸法前方に位置し、同じく固定切り欠き６０ａに嵌入する前側前後嵌入溝７３ｄ、７３ｄが前後端面の摺動方向に形成されたガイド体７３ｃと、ガイド体７３ｃの前端面から後ろ方向に凹状に形成され上下方向に並列に配置される案内溝７３ｅ、７３ｅと、案内溝７３ｅ、７３ｅの凹部の底面、すなわち、前端面側に形成され、ガイド体７３ｃの後端面まで連続した凹溝を形成する滑動面７３ｆ、７３ｆと、連結固定部７３ａとガイド体７３ｃ間に連設され、略Ｕ字形をなし、摺動方向で拡縮する弾性変形可能な弾性付与部７３ｇが合成樹脂材より一体に成形され構成されている。
【００４８】
固定部材７２・・・・は、連動基材７１、７１のそれぞれに同形部材を摺動方向で対向させて配置されているだけであるから伸長側の固定部材７２についてのみ説明する。尚、図１１における左右方向を、本説明においても左右方向として説明する。
固定部材７２（図９参照）は、前後方向に長い長方形の基体７２ａと、基体７２ａの上下それぞれの端部より左側に延出する第１係止片７２ｂ、７２ｂと、基体７２ａ前後中央部付近に左右方向に貫通する挿通部７２ｃと、基体７２ａの挿通部７２ｃの後側で形成される掛かり部７２ｄと、基体７２ａの挿通部７２ｃの前側で形成される固定基部７２ｅと、固定基部７２ｅの左側面から左側に突設される係脚体７２ｆと、係脚体７２ｆの左側の突出端で上下方向に延出する第２係止片７２ｇが合成樹脂材より一体に成形され構成されている。
【００４９】
第１連動紐７４、第２連動紐７５はそれぞれに同形部材で幅広のベルトであるから第１連動紐７４についてのみ説明する。
第１連動紐７４の一方端部を前記固定部材７２の後ろ方向から挿通部７２ｃに通してから後ろ方向に折り曲げ、折り曲げ端で挿通部７２ｃを通っていない第１連動紐７４と重ね合わせ、重ね合わせた部分で熱を加えベルトを溶着させる。
こうすることにより、第１連動紐７４の端部に輪状部７４ａが形成され、輪状部７４ａ内部に固定部材７２の掛かり部７２ｄが挿入され、第１連動紐７４の端部に固定部材７２が取り付けられる。他方端も同様に固定部材７２が取り付けられる。
尚、本件実施例においては、第１連動紐７４、第２連動紐７５は、エンドレスベルト５１と同じ素材の幅広の紐状のものを使用しているが、エンドレスベルト５１と同様に細紐やワイヤーロープを使用してもよい。この場合、輪状部７４ａは、溶着ではなく、接着や金具による固定などの方法、すなわち使用素材に適した固定方法により形成される。
【００５０】
このように各部材が構成される第３連動装置７は、次のようにして組み立てられる。
まず、インナーメンバー連結部材６０の一方側の固定切り欠き６０ａに、ガイド部材７３の嵌入溝７３ｂに固定切り欠き６０ａの上下のインナーメンバー連結部材６０の基材が差し込まれるように前後方向にスライドして嵌入する。さらに、ガイド部材７３の案内溝７３ｅに固定切り欠き６０ａの上下のインナーメンバー連結部材６０の基材が差し込まれるように前後方向にスライドして嵌入する。そして他方側の固定切り欠き６０ａにも同様にガイド部材７３を嵌入する。
【００５１】
次に、第２連動紐７５の一端側に取り付けられている固定部材７２の係脚体７２ｆを、第２アウターレール１０側の連動基材７１の第２アウターレール１０側の面で、前側の固定溝７１１ｃの前端側から後方に向かって嵌入する。
そして、第２連動紐７５の他方端側を後方に引き、第２連動紐７５の両端部間の所定の位置を、インナーメンバー連結部材６０に取り付けられた後ろ側のガイド部材７３の下部側の案内溝７３ｅに引っ掛ける。
次に、第２連動紐７５を滑動面７３ｆに沿って第１インナーメンバー２側に折り返し、第２連動紐７５の他方端側を前方に引き、該他方端に取り付けられている固定部材７２の係脚体７２ｆを、第１アウターレール１側の連動基材７１の第１アウターレール１側の面で、前側の固定溝７１１ｃの前端側から後方に向かって嵌入し、第２連動紐７５はセットされる。
【００５２】
ガイド部材７３は、係脚体７２ｆが連動基材７１の取付け部７１１の固定溝７１１ｃに差し込まれた状態で、取付け部７１１の切り起し片７１１ｂの膨出側の対向面の凹部に第２係止片７２ｇが係合し、第１係止片７２ｂ、７２ｂの突出端面が連動基材７１に接触するように形成されており、係止片７２ｇと第１係止片７２ｂ、７２ｂ間に切り起し片７１１ｂが挟まるようにされており、容易にガイド部材７３が外れないようなっている。
【００５３】
この時、第２連動紐７５を一旦前方に引っ張りながら嵌入することになるが、ガイド部材７３のガイド体７３ｃは、弾性付与部７３ｇで連結固定部７３ａと連結されているから、第２連動紐７５を前方に引っ張るとガイド体７３ｃが弾性付与部７３ｇを潰しながら前方にスライド移動する。このスライド移動量を利用して固定部材７２を第２アウターレール１０側の連動基材７１に嵌入し、嵌入すると弾性付与部７３ｇの弾性力によってガイド体７３ｃは後方の元の位置にスライド移動する。
このように、弾性付与部７３ｇによって第２連動紐７５を適度に張設し、所定の緊張状態を維持し、第２連動紐７５が案内溝７３ｅから外れないようにしている。弾性付与部７３ｇは合成樹脂材より一体に成形されているから部品点数が少なく、部品代、組み立て工数の低減が図ることが可能である。
【００５４】
次に、第１連動紐７４を取り付けるが、第１連動紐７４も第２連動紐７５と前後対称ではあるが同様な手順となる。
まず、第１連動紐７４の一端側に取り付けられている固定部材７２の係脚体７２ｆを、第１アウターレール１側の連動基材７１の第１アウターレール１側の面で、後ろ側の固定溝７１１ｃの後端側から前方に向かって嵌入する。
そして、第１連動紐７４の他方端側を前方に引き、第１連動紐７４の両端部間の所定の位置を、インナーメンバー連結部材６０に取り付けられた後側のガイド部材７３の上部側の案内溝７３ｅに引っ掛ける。
次に、第１連動紐７４を滑動面７３ｆに沿って第２インナーメンバー２０側に折り返し、第１連動紐７４の他方端側を後方に引き、該他方端に取り付けられている固定部材７２の係脚体７２ｆを、第２アウターレール１０側の連動基材７１の第２アウターレール１０側の面で、前側の固定溝７１１ｃの後端側から前方に向かって嵌入し第１連動紐７４はセットされる。
【００５５】
第１連動紐７４と第２連動紐７５が交錯し互いの動きに支障が出ないように上下方向で高さを変える必要がある。そのため、ガイド部材７３の案内溝７３ｅは上下に並列配置し、第１連動紐７４と第２連動紐７５は、高さ方向で違う高さの案内溝７３ｅに掛けられている。
このように、ガイド部材７３に案内溝７３ｅを上下に並列配置することにより、前後でガイド部材７３を兼用することができるので部品の種類を減らすことが可能となる。
【００５６】
また、固定部材７２の挿通部７２ｃと掛かり部７２ｄも高さ方向で第１連動紐７４（第２連動紐７５）のベルトの高さ巾より大きい寸法に設定されており、第１連動紐７４（第２連動紐７５）の端部での高さ方向の移動を許容しているので、ダブルスライドレールの摺動によって、ガイド部材７３と固定部材７２の距離が近づいた時に、第１連動紐７４（第２連動紐７５）の端部は、掛かり部７２ｄで上下に移動し、連動紐が掛けられている固定部材７２の案内溝７３ｅ高さに追従する。そのため、第１連動紐７４と第２連動紐７５が交錯しにくくできる。
【００５７】
以上ように第３連動装置７は組み立てられる。
そして、第３連動装置７が装備されたダブルスライドレール１００は、前述の第１連動装置、第２連動装置によるボールリテーナの連動に加え、インナーメンバー体６をダブルスライドレールの伸縮に連動させることが可能である。
【００５８】
例えば、第１アウターメンバー１を固定側、第２アウターメンバー１０を移動側とする場合、第２アウターメンバー１０を伸長させると、第２連動紐７５の第２アウターメンバー１０側が伸長側に引っ張られる。
第２連動紐７５の第１アウターメンバー１側は移動しないから、第２連動紐７５は、インナーメンバー体６の後ろ側のガイド部材７３を前方に押しながら、伸長方向に移動する。当然ながら、後ろ側のガイド部材７３が前方（伸長方向）に押されるからインナーメンバー体６も前方（伸長方向）に移動する。この時、インナーメンバー体６の摺動量は、連動装置が装着されたボールリテーナと同様に第２アウターメンバー１０の摺動量の２分の１の摺動量となる。
【００５９】
前記過程と同時に、前記の第２連動紐７５の作用によってインナーメンバー体６が前方（伸長方向）に移動すると、第１連動紐７４の第１アウターメンバー１側は移動しないから、第１連動紐７４の中間部のインナーメンバー体６の前側のガイド部材７３には、第１連動紐７４によって第１アウターメンバー１の後方側に引っ張られる力が働く。
該作用により、インナーメンバー体６が第２アウターメンバー１０の移動に対して行き過ぎることがない。
【００６０】
このように、第２連動紐７５の作用によってインナーメンバー体６が前方に押される力と、第１連動紐７４によってインナーメンバー体６が後方に引っ張られる力が同時に働くことによって、第１連動紐７４と第２連動紐７５に常に張力がかかるようにできるため、第１連動紐７４と第２連動紐７５は、ガイド部材７３から外れることがない。
【００６１】
そして、第２アウターメンバー１０の伸長を続けると、インナーメンバー体６（第２インナーメンバー２０）に対して第２アウターメンバー１０は伸長し、インナーメンバー体６は、固定側の第１アウターメンバー１に対して、該第２アウターメンバー１０の伸長量の２分の１ずつ伸長していく。
当然ながら、第１連動紐７４と第２連動紐７５の相互作用によって、ダブルスライドレール１００の伸長時だけでなく収縮時にも、インナーメンバー体６（第２インナーメンバー２０）に対する移動側の第２アウターメンバー１０の収縮側の移動量の２分の１ずつインナーメンバー体６が収縮側に移動する。
【００６２】
このように、第３連動装置７よって、アウターメンバーの移動に連動してインナーメンバーが追従して移動するから、ダブルスライドレール１００は、第１連動装置、第２連動装置のアウターメンバーの移動に連動してボールリテーナを追従移動させる作用と合わせることにより、安定した摺動力を実現することができる。
特にダブルスライドレール１００を縦方向に使用した場合において、インナーメンバーとボールリテーナが自重で下がることがない。
そのため、第１連動装置５、第２連動装置５０、第３連動装置７によってダブルスライドレール１００は、アウターメンバーの移動に合わせて、インナーメンバーとボールリテーナの動き追従させることにより、安定した摺動が可能となる。
【００６３】
第３連動装置７は、片側の連動紐だけでも成り立せることができる場合がある。
例えば、ダブルスライドレールを上方向に伸長させる場合、ボールリテーナは自重により常に下方向への力が加わっているが、第１連動装置、第２連動装置によってボールリテーナのみが下がることはない。
しかし、第３連動装置７が装備されていない場合、インナーメンバー体６は自重により常に下がることになる。そのため、移動側アウターメンバー（第２アウターメンバー１０）が伸長するときは、インナーメンバー体６を引き上げながら伸長することとなり、移動側アウターメンバー（第２アウターメンバー１０）が収縮するときは、インナーメンバー体６が自重で下がるので、先にインナーメンバー体が完全に収縮してから、移動側アウターメンバー（第２アウターメンバー１０）がインナーメンバー体に対して収縮する。
したがってダブルスライドレールの伸長、収縮過程の全域での摺動力の安定を実現できない。
【００６４】
そこで、第２連動紐７５のみをセットした状態、すなわち、移動側アウターメンバー（第２アウターメンバー１０）の伸長端に、第２連動紐の一端を固定し、インナーメンバー連結部材６０の後ろ側（下側）のガイド部材７３に第２連動紐の中間部を掛け、第２連動紐の他方端を、固定側アウターメンバー（第１アウターメンバー１）の伸長端に固定した状態で、ダブルスライドレール１００を上方向に伸長させると、インナーメンバー体６は、第２連動紐７５の作用で、移動側アウターメンバーの伸長量の２分の１ずつ上方に伸長する。
この時、インナーメンバー体６の自重によって、第２連動紐７５には、ガイド部材７３を介して下向きの力が加わり、第２連動紐７５に常に張力がかかり、第１連動紐７４と同じ作用が働くことになる。
したがって、ダブルスライドレールを上方向に伸長させる場合（インナーメンバー体６の自重が利用できる状態）では、伸長側にインナーメンバー体６を持ち上げる片側の連動紐だけでも成り立せることができる。
このように第３連動装置７は、用途に応じて片側だけの連動紐で構成することも可能である。
【００６５】
前述の本発明の詳細においては、第１アウターメンバー１を固定側、第２アウターメンバー１０を移動側としているが、第２アウターメンバー１０を固定側、第１アウターメンバー１を移動側とすることもできる。
また、インナーメンバー体６を固定側として、第１アウターメンバー１と第２アウターメンバー１０が対向して離間して伸長するようにして使用することができる。
この場合、第３連動装置７を装備することにより、一方側のアウターメンバーを伸長させると、連動して同じ移動量だけ他方側のアウターメンバーを伸長させることができる。
【符号の説明】
【００６６】
１        第１アウターメンバー
１００    ダブルスライドレール
１１Ａ    第２嵌合係止孔
１０      第２アウターメンバー
１０１Ａ  第２嵌合係止孔
２        第１インナーメンバー
２１Ａ    第１嵌合係止孔
２１ｂ    貫通孔
２０      第２インナーメンバー
２０１Ａ  第１嵌合係止孔
３        第１ボールリテーナ
３４      ガイド部材取付用切り欠き部
３０      第２ボールリテーナ
５        第１連動装置
５０      第２連動装置
５１      エンドレスベルト
５１ａ    第１位置決め部材
５１ｂ    第２位置決め部材
５１１    第２嵌合部材
５１２    第１嵌合部材
５１３    ベルトガイド部材
６        インナーメンバー体
６０      インナーメンバー連結部材
６０ａ    固定切り欠き
６０１    連結体
７        第３連動装置
７１      連動基材
７１１    取付け部
７２      固定部材
７２ｃ    挿通部
７２ｄ    掛かり部
７３      ガイド部材
７３ｅ    案内溝
７３ｆ    滑動面
７３ｇ    弾性付与部
７４      第１連動紐
７５      第２連動紐
【図１】
2020099447.tif 000003
【図２】
2020099447.tif 000004
【図３】
2020099447.tif 000005
【図４】
2020099447.tif 000006
【図５】
2020099447.tif 000007
【図６】
2020099447.tif 000008
【図７】
2020099447.tif 000009
【図８】
2020099447.tif 000010
【図９】
2020099447.tif 000011
【図１０】
2020099447.tif 000012
【図１１】
2020099447.tif 000013
【図１２】
2020099447.tif 000014
【図１３】
2020099447.tif 000015
【図１４】
2020099447.tif 000016
【図１５】
2020099447.tif 000017
【図１６】
2020099447.tif 000018